(57)【要約】【課題】  環境条件によらず、洗浄槽において所定の温度の水が得られ、そのための加熱状況が外部からも視認できるような食器洗浄機を提供する。【解決手段】    洗浄槽２内の温度に基づいた信号を出力する温度検出手段３０と、温度検出手段３０からの信号に基づいて、洗浄槽２に移送された洗浄水の温度を判定してデータとし、その水温のデータに基づいて洗浄槽２に移送する水を貯める貯湯タンク３内のすすぎ水の設定温度を決定し、貯湯タンク３内の水を加熱する加熱手段７の加熱を制御する制御手段２００とを備えている。【選択図】        図４
2005334342.tif 000002
【特許請求の範囲】
【請求項１】
洗浄槽内の温度に基づいた信号を出力する温度検出手段と、
該温度検出手段からの信号に基づいて、前記洗浄槽に移送された洗浄水の温度を判定してデータとし、その水温のデータに基づいて前記洗浄槽に移送する水を貯める貯湯タンク内のすすぎ水の設定温度を決定し、貯湯タンク内の水を加熱する加熱手段の加熱を制御する制御手段と
を備えたことを特徴とする食器洗浄機。
【請求項２】
前記制御手段は、乾燥工程の直前に行う最終のすすぎ工程に用いる前記すすぎ水の設定温度を少なくとも決定することを特徴とする請求項１記載の食器洗浄機。
【請求項３】
洗浄槽内の温度に基づいた信号を出力する温度検出手段と、
該温度検出手段からの信号に基づいて、前記洗浄槽に移送された洗浄水の温度を判定してデータとし、その水温のデータに基づいて、前記洗浄槽に移送する水を貯める貯湯タンク内の水の設定温度を決定し、貯湯タンク内の水を加熱する加熱手段の加熱を制御させ、洗浄工程中に、前記決定した温度の水を貯湯タンクから前記洗浄槽に移送させる制御手段と
を備えたことを特徴とする食器洗浄機。
【請求項４】
前記制御手段は、前記温度検出手段からの信号に基づいて、さらに、前記洗浄槽内に前記洗浄水が移送される前の温度を判定して気温のデータとし、該気温のデータ及び前記水温のデータに基づいて前記貯湯タンク内の水の設定温度を決定することを特徴とする請求項１〜３のいずれかに記載の食器洗浄機。
【請求項５】
前記制御手段は、洗浄工程開始から所定時間経過後の洗浄水の温度を判定してデータとすることを特徴とする請求項１〜４のいずれかに記載の食器洗浄機。
【請求項６】
前記制御手段は、
前記温度検出手段からの信号に基づいて、前記洗浄槽に移送された水の温度を判定してデータとする温度判定手段と、
前記温度判定手段が判定した水温のデータに基づいて、前記洗浄槽に移送する水を貯める貯湯タンク内の水の設定温度を決定し、前記加熱手段の加熱を制御する制御部と
で少なくとも構成されることを特徴とする請求項１〜５のいずれかに記載の食器洗浄機。
【請求項７】
前記加熱手段による加熱を教示する教示手段をさらに備えたことを特徴とする請求項１〜６のいずれかに記載の食器洗浄機。
【発明の詳細な説明】
【技術分野】
【０００１】
本発明は、食器洗浄機の制御に関するものである。特に洗浄槽の外に貯湯タンクを具備した食器洗浄機において、すすぎ、洗浄に適した温度の湯水を洗浄槽に提供しようとするものである。
【背景技術】
【０００２】
従来の食器洗浄機では、洗浄槽内に加熱手段を設け、洗浄槽内に供給された湯水を加熱しながら洗浄等を行うタイプがあるが、食べかす、箸等が加熱手段上に落ちて加熱されて危険なこともある。そこで、貯湯タンクを備え、湯水（以下、水という）の加熱を洗浄槽とは別の貯湯タンクで行うようにした食器洗浄機がある。このような構成の食器洗浄機では、所定の温度に加熱して貯湯タンクに貯留しておき、洗浄、すすぎ等の工程を行う場合に、貯留した水を洗浄槽に送る。このとき、貯湯タンク内の水の温度を所定の温度に制御するため、水の温度を検出するための温度検出手段を貯湯タンク側に備えている（例えば、特許文献１参照）。
【０００３】
【特許文献１】特開平７−３０３５９２号公報（図１）
【発明の開示】
【発明が解決しようとする課題】
【０００４】
しかしながら、上記のような構成の食器洗浄機では、貯湯タンク側だけに温度検出手段を備えて水温の制御を行っている。そのため、たとえ貯湯タンクの水の温度が、所定の温度に制御されていたとしても、気温、洗浄槽内の食器の量、材質（材質に基づく比熱）により洗浄槽での水の温度は異なったとしてもわからない。洗浄槽内の水温が異なると洗浄性能も変化し、水温が低ければ十分な性能が得られない。特に、１又は複数回行われるすすぎ工程の中で最終に行うすすぎ工程の場合、除菌を行うために、他のすすぎ工程等よりも所定の水温に制御できるようにする要求が高い。また、その後に乾燥工程が行われるが、乾燥工程に移行する際に、洗浄槽内、食器等の温度が高ければ、その分、乾燥工程における乾燥が円滑に行える。
【０００５】
また、これらの水温制御を行うために貯湯タンクに貯留された水を加熱するが、加熱状態が外部から見えないため、特に最初に洗浄槽に水が移送されるまでは食器洗浄機が洗浄等の動作を行っていないように見える。
【０００６】
本発明はこのような課題を解決するためになされたもので、環境条件によらず、洗浄槽において所定の温度の水が得られ、また加熱状況が外部からも視認できるような食器洗浄機を提供することを目的とする。
【課題を解決するための手段】
【０００７】
本発明に係る食器洗浄機は、洗浄槽内の温度に基づいた信号を出力する温度検出手段と、温度検出手段からの信号に基づいて、洗浄槽に移送された洗浄水の温度を判定してデータとし、その水温のデータに基づいて洗浄槽に移送する水を貯める貯湯タンク内のすすぎ水の設定温度を決定し、貯湯タンク内の水を加熱する加熱手段の加熱を制御する制御手段とを備えたものである。
【発明の効果】
【０００８】
本発明によれば、食器洗浄機の洗浄槽内の温度（水温）に基づいた信号を送信する温度検出手段を設け、制御手段が、温度検出手段によって得られる洗浄水の温度データに基づいて、貯湯タンク内のすすぎ水の温度を決定して、貯湯タンク内に設けた加熱手段の加熱を制御するようにしたので、洗浄槽での水温を適温にすることができ、すすぎ水として必要な温度の水を効率よく、無駄に高温にすることなく提供することができる。特に乾燥工程直前の最終のすすぎ工程で用いるすすぎ水は、食器類の除菌効果、乾燥工程前の予熱効果を有しているため、本発明は、この水野温度を制御できる点で最も都合がよい。
【発明を実施するための最良の形態】
【０００９】
実施の形態１．
図１は、本発明の実施の形態の食器洗浄機が収められるキッチンシステム例を表す図である。このキッチンシステム１００は、流し台１０１と、カウンター１０２と、シンク部１０３とを備えておいる。この例では、カウンター１０２においてシンク部１０３の右側に食器洗浄機が設けられており、上面の蓋体２６を開閉できるようになっている。また、食器洗浄機の前面には、食器洗浄機を操作し、各種動作設定を行うための操作部２７が設けられている。
【００１０】
図２は第１の実施の形態の食器洗浄機を横から見た断面図である。また、図３は本実施の形態の食器洗浄機の概念図である。図２及び３において、食器洗浄機の機体１内には洗浄槽２が設けられている。ここで、本実施の形態における食器洗浄機は、洗浄槽２内に加熱手段７を設けず、後述の貯湯タンク３内に加熱手段７を設けた構成としている。そのため、洗浄槽２内の清掃がしやすくなっている。
【００１１】
機体１内には貯湯タンク３が配置されており、外部からの水が給水管４及び貯湯タンク３に接続された給水弁５を介して貯湯タンク３に給水されるようになっている。この貯湯タンク３は、洗浄槽２内に洗浄水又はすすぎ水を移送する前に貯留するタンクである。貯湯タンク３内には、前述したように貯湯タンク３内に溜められた洗浄水又はすすぎ水を加熱するための加熱手段７を設けており、洗浄やすすぎに適した温度まで加熱するようになっている。この加熱手段７の駆動制御は、後述するように、加熱手段駆動手段２１０を介して制御部２０１が行う。また、加熱手段７は、水だけでなく空気を加熱し、後述の乾燥工程において温風として利用する。この貯湯タンク３内の水又は空気の温度は、温度検出手段２９で検出され、信号に変換されて、後述する温度判定手段２０４に出力される。
【００１２】
貯湯タンク３は、給湯管１０及び給湯管１１を介して洗浄槽２と接続されている。給湯管１０と給湯管１１との間には給湯ポンプ６が接続されている。給湯ポンプ６が駆動することで、給湯管１０及び給湯管１１を介して貯湯タンク３内の水を洗浄槽２に移送する。ここで、本実施の形態では、貯湯タンク３内に、２段階の水位を検出するための水位検出手段８及び水位検出手段９を設けている。ここで、図では特に示していないが、貯湯タンク３を機体１の前面に配置すれば簡単に交換や修理が行え、都合がよい。
【００１３】
また、洗浄槽２の底部に凹状の湯溜め部２１を設けている。この湯溜め部２１の上部開口には残滓物を捕集するためのフィルタ２２が設けられている。また、本実施の形態では、洗浄槽２内の水温又は気温に基づいた信号を送信するための温度検出手段３０を設けている。ここで、温度検出手段３０を設ける位置について、本実施の形態では湯溜め部２１とするが、例えば、配置スペースの関係等で設けられない場合もあるので、洗浄槽２内の水温等が精度よく検出できる位置であれば、その位置は限定しない。また、洗浄槽２の内壁又は外壁のどちらに設けてもよい。本実施の形態では、温度検出手段３０が送信した信号も、温度検出手段２９と同様に温度判定手段２０４に出力されるが、これに限定するものではなく、別の温度判定手段を設け、その手段に出力がなされるようにしてもよい。
【００１４】
この湯溜め部２１と噴射排水兼用ポンプ１５の給水口とを送水管１６を介して接続している。さらに、噴射排水兼用ポンプ１５の吐出口と洗浄槽２とを送水管１７を介して接続している。ここで、洗浄槽２と接続した方の送水管１７の端部に、複数の噴出口（図示せず）を有する噴射ノズル１８を洗浄槽２の下部に位置するように設け、送水管１７から送られた水を噴射する。これにより、貯湯タンク３から洗浄槽２内に送られた水は、湯溜め部２１を介して噴射排水兼用ポンプ１５に取り入れられ、さらに送水管１７を介して洗浄槽２に送られ、噴射ノズル１８によって洗浄槽２に収容された食器類１９に噴射し、さらに湯溜め部２１に溜まることで循環する。
【００１５】
また、湯溜め部２１と噴射排水兼用ポンプ１５とを排水管２３を介して接続する。また、噴射排水兼用ポンプ１５と外部排水管２５とを排水管２４を介して接続する。これにより、排水時においては、洗浄槽２の水は、湯溜め部２１及び排水管２３を介して噴射排水兼用ポンプ１５によって取り入れられ、排水管２４を通して外部排水管２５（食器洗浄機外）に排水される。
【００１６】
ここで、洗浄槽２内には、食器類１９を載置する食器かご２０が収納されており、食器類１９及び食器かご２０は、上面の蓋体２６を開けることにより、洗浄槽２への出し入れが自在となっている。また、機体１には、後述の制御装置２００が収納される制御装置収納部（図示せず）が設置されている。
【００１７】
図４は第１の実施の形態における食器洗浄機の電気的系統を示すブロック図である。本実施の形態の食器洗浄機は、例えばマイクロコンピュータで構成された、制御手段となる制御装置２００を備えている。制御装置２００は、少なくとも制御部２０１、記憶部２０２、タイマー部２０３及び温度判定手段２０４を備えている。
【００１８】
制御部２０１には、少なくとも操作部２７、水位検出手段８及び９、タイマー部２０３、温度判定手段２０４から、各種データを含む入力信号が送信される。そして、各種データに基づいて、利用者に加熱手段７の加熱状況を示すための表示ランプ３２を点灯、点滅、消灯等をさせる表示ランプ駆動手段２０６、給水弁５の開閉をさせる給水弁駆動手段２０７、噴射排水兼用ポンプ１５の送水、排水、停止をさせるポンプ駆動手段２０８、送風手段１２の駆動、停止をさせる送風手段駆動手段２０９、加熱手段７の加熱、停止をさせる加熱手段駆動手段２１０、給湯ポンプ６の駆動、停止をさせる給湯ポンプ駆動手段２１１に、それぞれ対応する食器洗浄機内の各手段に対して動作指示のデータを含む駆動制御信号を送信し、駆動制御を行わせる。例えば加熱手段駆動手段２１０は、駆動制御信号に基づいて加熱手段７への電源供給を制御して駆動制御を行う。ここで、加熱手段駆動手段２１０による加熱手段７の駆動制御は、実質的には制御部２０１から送信される駆動制御信号に従って行っているだけであるので、以後は制御部２０１が加熱手段７の駆動制御を行うものとして説明する。
【００１９】
記憶部２０２は、洗浄水準備工程から乾燥工程に至るまでの食器洗浄機の動作を制御部２０１に実行させるためのプログラム、各工程を実行するために必要なデータ等を一時的又は長期的に記憶する。特に、本実施の形態では気温のデータ及び洗浄槽２内の水温のデータに基づいて加熱手段７の加熱温度設定を行うため、例えばマトリクスのテーブル（表）形式のデータとして作成した設定温度のデータも記憶している。また、タイマー部２０３は、時間計測を行い、工程時間等を管理する。そして、温度判定手段２０４は、温度検出手段２９が検出した貯湯タンク３内の水の温度又は温度検出手段３０が検出した洗浄槽２内の水の温度を判定し、そのデータを含む信号を制御部２０１に送信する。
【００２０】
本実施の形態は、洗浄槽２で適温となるすすぎ水を移送するため、制御装置２００による、貯湯タンク３内で加熱し、貯湯しておくすすぎ水の設定温度を決定する。そのため、貯湯タンク３だけでなく、洗浄槽２内の温度（特に水温）を検出するための温度検出手段３０を設ける。
【００２１】
ここで、単に、貯湯タンク３内で所定の温度に加熱された洗浄水が、移送された洗浄槽２内でどれだけ温度が下がっているかを温度検出手段３０が検出し、制御装置２００内の温度判定手段２０４が判定して得られた水温のデータのみに基づいて制御部２０１が設定温度を決定してもよい。ただ、本実施の形態では、洗浄槽２内に移送された洗浄水の温度を検出するだけでなく、さらに、動作開始時における温度検出手段３０の検出に基づいて温度判定手段２０４が判定した温度の値を制御部２０１は気温のデータとして扱う。制御部２０１は、洗浄槽２内での洗浄水の水温のデータに、気温のデータを加味した上で、すすぎ水の設定温度を決定し、加熱手段７の駆動制御を行う。これにより、加熱による温度制御の精度をより高くし、すすぎ水（特に乾燥工程前の最終のすすぎ工程のすすぎ水）として必要な温度の水を効率よく、無駄に高温にすることなく提供することができる。なお、ここでは洗浄水とすすぎ水とを区別しているが、水としては同じものである。
【００２２】
図５は食器洗浄機の工程を表す図である。本実施の形態の食器洗浄機は、貯湯タンク３に水（洗浄水）を給水して洗浄に適した温度に加熱する洗浄水準備工程、貯湯タンク３内の洗浄水を洗浄槽２に移送する洗浄水移送工程、食器類１９を洗浄する洗浄工程、貯湯タンク３に水（すすぎ水）を給水してすすぎに適当な温度に加熱するすすぎ水準備工程、貯湯タンク３内のすすぎ水を洗浄槽２に移送するすすぎ水移送工程、すすぎを行うすすぎ工程、濡れた食器類１９を乾燥させる乾燥工程及び洗浄槽２内の水を最終的に排水する排水工程の８つの工程に分類される。ここで、すすぎ工程は３回繰り返すため、すすぎ水準備工程及びすすぎ水移送工程もそれぞれ３回繰り返すことになる。また、各すすぎ水準備工程は、洗浄工程、すすぎ工程と並行して行う。
【００２３】
図６は操作部２７及び表示ランプ３２の構成を表す図である。操作部２７は、スタート／一時停止ボタン３４及び電源切／入ボタン３５で構成されている。また、加熱中教示手段である表示ランプ３２は、例えば、加熱手段７が駆動し、加熱を行っていれば点灯状態となり、行っていなければ消灯状態となる。例えば、洗浄水準備工程の工程の場合、給湯ポンプ６、噴射排水兼用ポンプ１５等が駆動していないため、食器洗浄機の動作を音で確認することは困難である。したがって、使用者が食器洗浄機が動作していないと誤認をしやすい。そのため、貯湯タンク３内で加熱手段７が駆動していることを表示ランプ３２が点灯して示すことにより、食器洗浄機が動作していることを示すことができる。また、加熱手段７が駆動していなければならないときに、例えば表示ランプ３２が消灯していれば異常状態であることも示すことができる。
【００２４】
次に、制御部２０１による洗浄水の洗浄槽２内での水温に基づいて、すすぎ工程で用いるすすぎ水を加熱制御するための温度設定について説明する。まず、食器洗浄機の動作開始時において、温度検出手段３０の検出に基づいて、温度判定手段２０４が温度を判定し、制御部２０１に温度のデータを含む信号を送信する。制御部２０１はこのデータを、気温（室温）のデータとして扱い、例えば記憶部２０２に記憶させておく。そして、洗浄水準備工程、洗浄水給水工程の後、洗浄工程が行われる。
【００２５】
洗浄工程が開始されると、噴射ノズル１８から噴射され、食器類１９がかかった水の熱を吸収する。吸収後の洗浄水の水温のデータを得るため、制御部２０１は、タイマー部２０３の時間測定により、洗浄工程が開始されて所定時間後（例えば１分後）における温度検出手段３０の検出に基づいて得られた温度の値を洗浄槽２内の水温のデータとして扱う。
【００２６】
そして、制御部２０１は、記憶部２０２に記憶された設定温度のデータから、気温のデータと水温のデータとに基づいて該当するデータを検索（選択）し、設定温度を決定する。
【００２７】
図７はマトリクスのテーブルの概念を表す図である。設定温度のデータについては、例えば気温を行方向、水温を列方向とするマトリクスのテーブル（表）形式のデータをあらかじめ作成しておく。このようなテーブルによるデータは、その条件に応じた作成、変更を簡単に行うことができる。図５では、気温、水温とも低、中、高の３区分に分け、３×３の行列としている。つまり、この場合、９通りの決定がなされる（ただし、同じ温度設定がなされる場合もあるため、９つの設定温度の値に分かれるとは限らない）。低、中、高に該当する温度の範囲については、任意に定めることができるが、例えば、気温については、低（１０℃以下）、中（１０℃より大きく２０℃以下）、高（２０℃より大きい）のように分けることができる。
【００２８】
制御部２０１は、すすぎ水準備工程において、決定した設定温度になるように加熱手段７の駆動制御を行い、貯湯タンク３内の水をすすぎ水として適当な温度に加熱する。このとき、温度検出手段２９が検出し、温度判定手段２０４が判定した貯湯タンク３内の水温のデータに基づいて、制御部２０１は加熱手段７の駆動制御を行う。
【００２９】
以上のように本実施の形態によれば、温度検出手段２９だけでなく、洗浄槽２内の温度（特に水温）を検出するための温度検出手段３０を設け、温度検出手段３０によって得られる洗浄水の水温のデータに基づいて、制御部２０１が設定温度データを検索して設定温度を決定し、加熱手段７の加熱制御を行ったすすぎ水をすすぎ工程に用いるようにしたので、加熱による温度制御の精度をより高くし、すすぎ水として必要な温度の水を効率よく、無駄に高温にすることなく洗浄槽２に移送することができる。さらに、制御部２０１は、食器洗浄機の動作開始時において、温度検出手段３０の検出に基づいて判定した気温を加味した上で設定温度を決定するようにしたので、よりきめ細かな温度設定に基づいて加熱手段７の制御を行うことができ、洗浄槽２においてすすぎに適したすすぎ水ですすぎ工程を行うことができる。特に乾燥工程直前のすすぎ工程で用いるすすぎ水を、洗浄槽２に移送した際に、所定の温度（高温）にできるので、食器類１９の除菌をし、乾燥工程を円滑に行うことができ、都合がよい。なお、ここでは特に限定しないが、場合によっては、複数回のすすぎ工程のうち、最も効果の高い、乾燥工程直前の最後のすすぎ工程で用いるすすぎ水のみについて、上記のような温度設定に基づく制御を行うようにしてもよい。
【００３０】
実施の形態２．
上述の第１の実施の形態では、貯湯タンク３の水をすすぎ水として用いる場合の設定温度の決定について説明した。ただ、すすぎ水に限定するものではない。例えば、所定の温度の洗浄水で洗浄を行うため、洗浄工程中に一部追加又は一部若しくは全部入れ替えを行う洗浄水の設定温度を決定することもできる。
【００３１】
温度判定手段２０４の判定により洗浄水の水温が判定された後、制御部２０１は、上述の実施の形態と同様に、気温のデータ、水温のデータに基づいて設定温度データを検索して、追加又は入れ替えを行う洗浄水の設定温度を決定する。ここで、すすぎ水の設定温度を決定するテーブルとは異なるテーブルによる設定温度データを記憶部２０２に記憶させておくことが望ましい。そして、貯湯タンク３の水（場合によっては、必要な量を給水弁５を介して給水する）を加熱手段７によって加熱させる。設定温度への加熱が終了した後、噴射排水兼用ポンプ１５により、洗浄水の一部又は全部を排水させ、給湯ポンプ６により、貯湯タンク３から洗浄槽２に洗浄水を移送する。
【００３２】
このようにすれば、第１の実施の形態のように、すすぎ水の温度設定だけでなく、洗浄水についても温度設定をすることができ、洗浄工程中に洗浄水を追加又は入れ替えることにより、適温で効率のよい洗浄を行うことができる。
【００３３】
実施の形態３．
上述の実施の形態では、設定温度のデータをあらかじめ定めておき、記憶させておくようにしたが、これに限定するものではない。例えば、気温及び洗浄槽２内の水温のデータに基づく値を例えばプログラム化した計算式に当てはめて設定温度を算出することで決定するようにしてもよい。また、設定温度の決定に際して、気温及び洗浄槽２内の水温を条件として用いたが、他の条件も考慮し、よりきめ細かな温度設定を行うようにしてもよい。さらに、気温、洗浄槽２内の水温についても、上述の実施の形態のように、３区分だけずつでなく、さらに細かく区分してもよい。
【００３４】
実施の形態４．
上述の実施の形態では、加熱手段７が加熱中であることを教示するため、表示ランプ３２を点灯、消灯等を行わせた。本発明はこれに限定されるものではない。例えば、数字等を表示できる表示手段を設け、洗浄開始までの時間を表示させるようにしてもよい。また、食器洗浄機の全工程終了までの時間を表示させてもよい。これらによっても、洗浄水準備工程においては、食器洗浄機が動作していることを示すことができる。また、表示でなく、スピーカ等、音による教示を行わせるようにしてもよい。
【００３５】
実施の形態５．
本発明は、例えば上述した実施の形態の図１〜３の記載された構造の食器洗浄機だけでなく、洗浄槽２と給湯タンク３とが別体で設けられた構造の食器洗浄機について適用することができる。
【図面の簡単な説明】
【００３６】
【図１】本発明の実施の形態に係る食器洗浄機が収められるキッチンシステムの斜視図である。
【図２】本発明の実施の形態に係る食器洗浄機を横から見た断面図である。
【図３】本発明の一実施の形態の食器洗浄機の概念図である。
【図４】実施の形態１の食器洗浄機の電気的系統を示すブロック図である。
【図５】水移送工程の内容を表す図である。
【図６】操作部２７及び表示ランプ３２の構成を表す図である。
【図７】マトリクスのテーブルの概念を表す図である。
【符号の説明】
【００３７】
１  機体、２  洗浄槽、３  貯湯タンク、４  給水管、５  給水弁、６  給湯ポンプ、７  加熱手段、８，９  水位検出手段、１０，１１  給湯管、１２  送風手段、１５  噴射排水兼用ポンプ、１６，１７  送水管、１８  噴射ノズル、１９  食器類、２０  食器かご、２１  湯溜め部、２２  フィルタ、２３，２４  排水管、２５  外部配水管、２６  蓋体、２７  操作部、２９  温度検出手段、３２  表示ランプ、３４  スタート／一時停止ボタン、３５  電源切／入ボタン、１００  キッチンシステム、１０１  流し台、１０２  カウンター、１０３  シンク部、２００  制御装置（制御手段）、２０１  制御部、２０２  記憶部、２０３  タイマー部、２０４  温度判定手段、２０６  表示ランプ駆動手段、２０７  給水弁駆動手段、２０８  ポンプ駆動手段、２０９  送風手段駆動手段、２１０  加熱手段駆動手段、２１１  給湯ポンプ駆動手段。
【図１】
2005334342.tif 000003
【図２】
2005334342.tif 000004
【図３】
2005334342.tif 000005
【図４】
2005334342.tif 000006
【図５】
2005334342.tif 000007
【図６】
2005334342.tif 000008
【図７】
2005334342.tif 000009